(57)【要約】      （修正有）【課題】防災用水、生活支援用水として、汚染の少ない雨水を確保する方法の提供。【解決手段】雨水遮断ろ過装置１は、雨樋２の太さの約３，３倍を要する塩ビ管を使用し、雨水の浸入口にはろ過層壁３を有する。ろ過層壁３は８ｍｍ角のネット板、２ｍｍ角のネット板、不織布ポリエステルの三種類が組み合わせられている。雨水遮断ろ過装置１の下部には、雨水遮断板６を有し、遮断板６を開くことにより沈殿物を排出できる。また上蓋をあげて回すことによりろ過層壁３の清掃、交換が簡単にできる。【選択図】図１
2010048080.tif 000002
【特許請求の範囲】
【請求項１】
本出願は屋根や雨樋のごみやほこりを、きれいに洗い流した後の雨水を遮断して、汚染の少ない水を、ろ過、貯留を任意の操作で生活用水を確保するものである。
【請求項２】
雨樋遮断ろ過装置は、太いパイプの片側を雨樋として使い、反対側を三層から成るろ過壁とし、下部は沈殿槽の役割を果たすものである。
【請求項３】
雨樋遮断ろ過装置の下部に簡単な雨水遮断板を装置して、一雨毎に開き沈殿物を一掃すると同時に、小雨時の大気汚染物質は取り込まない。
【請求項４】
雨樋遮断ろ過装置の上蓋をあげて回し、ろ過層壁を抜き出し清掃及び交換が簡単に出来る。
【発明の詳細な説明】
【技術分野】
【０００１】  本発明は、一般家庭等の雨水ろ過装置を製作、設置して、生活用水の貯留に関するものです。
【背景技術】
【０００２】  従来の雨水ろ過装置は決められた構造で一定のもので、任意に調節が出来ないうえ生活用水には難があった。（例えば特許文献雨水コレクター）
【発明の開示】
【発明が解決しようとする課題】
【０００３】  現状の雨水を貯留する装置は、農作物の給水、家庭菜園、庭木の散水などが目的で水質の信頼性、水量ともに充足したものでなく、常時防災用水の備蓄、生活支援用水には適さない。
【課題を解決するための手段】
【０００４】  ろ過装置に、きれいな水を任意で取り込む、小雨や降り始めで屋根、樋の汚れは十分洗い流した後に、雨樋を遮断板で閉め、ろ過、貯留を開始するものである。【０００５】  雨樋遮断ろ過装置内は、太い塩ビ管の片側を雨樋として役だて、反対側に、ろ過層壁を配し、ろ過層には８ｍｍ角、２ｍｍ角のネット板、不織布ポリエステルの三種類を組み合わせ、１セットにした。【０００６】  下部ろ過層のごみや沈殿物は、遮断板を開き一雨ごとに沈殿物を流し、ろ過層内に水は残さない。
【発明の効果】
【０００７】  雨の降り始めは、屋根や樋の粉塵を十分洗い流がされた頃に、開閉板を閉め溢れた水は、ろ過層を浸透し、きれいな水を１００％貯留できる。雨が降り終ったら開閉板を開け、ろ過層内の水で、沈殿物やごみなどを洗い流す。通常は開放にして小雨時の大気中の汚染された水の流入を防ぐことが出来る。
【発明を実施するための最良の形態】
【実施例】
【０００８】  雨樋遮断ろ過装置のろ過層壁は、上蓋を外して、抜き出して清掃、交換が出来るので大型貯水タンクを設置して、トイレ、洗濯、風呂等の生活用水に永続的に使うことが出来る。
【産業上の利用可能性】
【０００９】  雨樋遮断ろ過装置で簡便にして能率よく貯留出来る事から工業用水確保と利用することで、タンク内の循環、活性化が促進され、長期備蓄が可能である。【００１０】  集積縦樋の太さに合わせ、ろ過装置を大型にすることで、中小企業の工業用水は十分確保出来る、経済効果のみならず、地域水害対策に大きく貢献すると供に雨水リサイクル産業の発展は、地球を救う時代に備えるものであると考える。
【図面の簡単な説明】
【００１１】
【図１】  本発明の側面図である。
【図２】  本発明の上蓋を外した上面図である。
【図３】  本発明の底部遮断板の上面図である。
【発明を実施するための形態】
【００１２】  以下、本発明の実施の形態について、図面を参照しつつ詳細に説明すれば、
図１は本発明の実施例を示したものであり（１）は本体で雨樋遮断ろ過装置を示す、雨樋の太さの約３，３倍を要す塩ビ管を使用。（２）は雨樋で雨水の浸入口（３）はろ過層壁で８ｍｍ角のネット板、２ｍｍ角のネット板、不織布ポリエステルの三種類を組み合わせ、ろ過層壁を構成した。（４）はろ過層壁ガイド（５）は沈殿槽（６）は雨樋遮断板（７）雨樋遮断板ガイド（８）は排出貯留タンクへ。
図２は上蓋をうえに上げ半回転した上面図で３のろ過層壁は４のガイドにより取り付け、取り外しが簡単にできる。
図３は遮断板部分の上面図で６は遮断板でアクリル板、三枚構成で中の１枚が外側取っ手で操作、７のガイドにより安定した操作が出来る。
【符号の説明】
【００１３】  １    雨樋遮断ろ過装置本体
２    雨樋
３    ろ過層壁
４    ろ過層壁ガイド
５    沈殿槽
６    雨樋遮断板
７    雨樋遮断板ガイド
８    排出口
【図１】
2010048080.tif 000003
【図２】
2010048080.tif 000004
【図３】
2010048080.tif 000005
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
本出願は、屋根や雨樋のごみやほこりを、洗い流し汚染の少ない雨水を遮断して、生活用水としての、水質、水量を確保するための、雨樋遮断ろ過装置を提供しようとするものである。
【請求項２】
雨樋遮断ろ過装置は、太い筒の中央部分に、ろ過層壁を立て、上下の中間に浄化水分岐口を配し、左側上下に縦雨樋を接続して、上下、左右それぞれの沈殿槽をもつ、一体型で請求項１の要である。
【請求項３】
ろ過層壁は三層から成る、ろ過層材を壁とし、両側から凸部で支え固定したろ過層壁で、ろ過面を大きくして大雨時の浄化取水能力に備えた、ろ過層壁である。
【請求項４】
雨樋遮断ろ過装置は、下部に縦雨樋接続部に遮断板を装置し、降雨時に遮断して、浄化水分岐口までの水位が沈殿槽で、雨樋側のごみ砂塵の沈殿槽と、ろ過後の浄化水を更に沈殿槽で微細不純物を除去する二つの沈殿槽もつ、雨樋遮断ろ過装置である。
【手続補正２】
【補正対象書類名】明細書
【補正対象項目名】０００１
【補正方法】変更
【補正の内容】
【０００１】  本発明は、一般家庭で雨水をきれいにした生活用水の貯留を支援する雨樋遮断ろ過装置を提供しようとするものである。
【手続補正３】
【補正対象書類名】明細書
【補正対象項目名】０００２
【補正方法】変更
【補正の内容】
【０００２】  従来の雨水取水装置では任意の判断操作で調節が出来ない、生活用水には水質、水量とも充足されているとは思われない。非特許文献雨水コレクター〈雨水ろ過装置〉
【手続補正４】
【補正対象書類名】明細書
【補正対象項目名】０００３
【補正方法】変更
【補正の内容】
【０００３】  現状の雨水取水装置・雨水ろ過装置は一般家庭の節水対策や農作物の渇水対策で小規模規格が主である、生活用水としては、水質の信頼性を高める、水量の永続的な確保と使用が伴う浄化水の貯留が必要である、防災用水の備蓄も兼ね備える必要がある。
【手続補正５】
【補正対象書類名】明細書
【補正対象項目名】０００４
【補正方法】変更
【補正の内容】
【０００４】  雨樋遮断ろ過装置は、図１、図３の如く太い塩ビ筒左側に縦雨樋を接続し底部に遮断板を装置し降雨量と屋根、樋の汚れを判断して手動操作で調節、開閉が出来る。
【手続補正６】
【補正対象書類名】明細書
【補正対象項目名】０００５
【補正方法】変更
【補正の内容】
【０００５】  ろ過装置は、太い塩ビ筒の中央から右側に、ろ過層壁の厚さ合わせ支持ガイドの凸部を取り付ける、ろ過層壁は８ｍｍ角、２ｍｍ角のネット板、不織布ポリエステルの三種類を組み合わせ、１セットとして図２の如く上蓋を外し支持ガイド内に挿入セット固定する、なお不織布ポリエステルは底部若干の隙間を開ける。
【手続補正７】
【補正対象書類名】明細書
【補正対象項目名】０００６
【補正方法】変更
【補正の内容】
【０００６】  沈殿槽は太い塩ビ筒の中間に配した図１の如く浄化水分岐口までの水位が、沈殿槽で、雨樋側のごみや砂塵の沈殿槽と、ろ過後の浄化水側は微細不純物の沈殿槽であり上部は大雨時の、ろ過取水能力に備え四分かしたろ過、沈殿槽である。
【手続補正８】
【補正対象書類名】明細書
【補正対象項目名】０００７
【補正方法】変更
【補正の内容】
【０００７】  雨樋遮断ろ過装置で降雨状況により屋根や、雨樋がきれいに洗い流された頃に遮断版を閉め溢れた水は、沈殿，ろ過を繰り返し、きれいな水の貯留が可能であった、また縦樋満杯の大雨時でも、ろ過槽容量が確保されているため１００％のろ過、取水が可能である、また完全に雨がやんだら開閉板を開き沈殿槽内の沈殿物と水は樋から流す。
【手続補正９】
【補正対象書類名】明細書
【補正対象項目名】０００８
【補正方法】変更
【補正の内容】
【０００８】  現状に於いて生活用水のトイレ、洗濯、雑用水に対応させるには１５〜１６ｍ３程度以上の貯留槽が必要で自家用として設置を検討中である、また地域の雨水浸透・貯留施設設置補助金制度も合わせて検討中である。